(57)【要約】【課題】利用者が、現在階、次に停止する階、及び運転方向を容易に把握可能である表示器を備えるエレベータシステムを提供する。【解決手段】一実施形態に係るエレベータシステムは、乗りかごの現在階、次停止階、及び、運転方向を表示する表示器と、表示器における表示を制御する制御手段とを備える。制御手段は、乗りかごが上昇運転を行う場合に、上方向を示す第１の運転方向表示を表示し、さらに第１の運転方向表示の上方に次停止階を表示し、乗りかごが下降運転を行う場合に、下方向を示す第２の運転方向表示を表示し、さらに第２の運転方向表示の下方に次停止階を表示する。【選択図】  図１
2020007064.tif 000002
【特許請求の範囲】
【請求項１】
乗りかごの現在階、次停止階、及び、運転方向を表示する表示器と、
前記表示器における表示を制御する制御手段と、
を具備し、
前記制御手段は、
前記乗りかごが上昇運転を行う場合に、上方向を示す第１の運転方向表示を表示し、さらに前記第１の運転方向表示の上方に次停止階を表示し、
前記乗りかごが下降運転を行う場合に、下方向を示す第２の運転方向表示を表示し、さらに前記第２の運転方向表示の下方に次停止階を表示する
ことを特徴とするエレベータシステム。
【請求項２】
前記制御手段は、前記次停止階の表示を前記現在階の表示よりも小さく表示する
ことを特徴とする請求項１に記載のエレベータシステム。
【請求項３】
前記制御手段は、
前記乗りかごが停止中に、前記現在階を前記表示器の中央付近に表示し、
前記乗りかごが上昇運転を開始する場合に、前記現在階の表示を前記表示器の下部に移動させ、前記第１の運転方向表示の表示位置を前記現在階の表示の上方とし、
前記乗りかごが下降運転を開始する場合に、前記現在階の表示を前記表示器の上部に移動させ、前記第２の運転方向表示の表示位置を前記現在階の表示の下方とする
ことを特徴とする請求項１又は請求項２に記載のエレベータシステム。
【請求項４】
前記制御手段は、
前記乗りかごが停止中に、前記現在階を前記表示器の中央付近に表示し、
前記乗りかごが上昇運転もしくは下降運転を開始する場合に、前記現在階の表示を前記表示器の左部に移動させ、前記現在階の表示の右方に前記第１の運転方向表示もしくは前記第２の運転方向表示及び前記次停止階を表示し、又は、
前記乗りかごが上昇運転もしくは下降運転を開始する場合に、前記現在階の表示を前記表示器の右部に移動させ、前記現在階の表示の左方に前記第１の運転方向表示もしくは前記第２の運転方向表示及び前記次停止階を表示する
ことを特徴とする請求項１又は請求項２に記載のエレベータシステム。
【請求項５】
前記制御手段は、前記乗りかごが前記次停止階に到着した場合に、前記第１の運転方向表示もしくは前記第２の運転方向表示及び前記次停止階の表示を消去し、前記現在階の表示を前記表示器の中央付近へ移動させる
ことを特徴とする請求項３又は請求項４に記載のエレベータシステム。
【請求項６】
前記制御手段は、アニメーションを用いて、前記現在階の表示を移動させる表示を行う
ことを特徴とする請求項５に記載のエレベータシステム。
【発明の詳細な説明】
【技術分野】
【０００１】
本発明の実施形態は、かごの運行状況を表示する表示装置を備えたエレベータシステムに関する。
【背景技術】
【０００２】
エレベータの現在の運行状況を示すインジケータは、従来よりかご位置をランプ又はＬＥＤの点灯などにより利用者に知らせる方式のものが主流であった。近年では、このインジケータに液晶パネルが用いられることにより、インジケータに従来よりも多彩な表示を行うことが可能である。例えば、緊急時には、注意喚起のためのメッセージ、ガイダンスなどをインジケータに表示させることができる。
【先行技術文献】
【特許文献】
【０００３】
【特許文献１】特許第６２４４２７３号公報
【発明の概要】
【発明が解決しようとする課題】
【０００４】
一般的に、エレベータの通常運転時にインジケータに表示される項目は、現在階、上下運転方向の表示、及び次に停止する階（以下、次停止階とする）などである。しかしながら、これらの表示位置は、エレベータの運転状態にかかわらず固定的に決められることが多いため、利用者にとって分かりづらい。
【０００５】
例えば、運転方向が下方向である場合、現在階の表示の上側に下方向を示す矢印が表示されていると、利用者は、かごが次停止階ではなく現在階として表示された階に向かっていると誤認する恐れがある。また、現在階と次停止階の両方が表示される場合、次停止階の表示は、現在階との混同を避けるために、例えば「次は○階に止まります」などの文章による表示が必要であった。さらに、外国人利用者に向けては外国語での表示が必要であった。
【０００６】
本発明が解決しようとする課題は、利用者が、現在階、次に停止する階、及び運転方向を容易に把握可能である表示器を備えるエレベータシステムを提供することである。
【課題を解決するための手段】
【０００７】
一実施形態に係るエレベータシステムは、乗りかごの現在階、次停止階、及び、運転方向を表示する表示器と、前記表示器における表示を制御する制御手段とを備える。前記制御手段は、前記乗りかごが上昇運転を行う場合に、上方向を示す第１の運転方向表示を表示し、さらに前記第１の運転方向表示の上方に次停止階を表示し、前記乗りかごが下降運転を行う場合に、下方向を示す第２の運転方向表示を表示し、さらに前記第２の運転方向表示の下方に次停止階を表示する。
【図面の簡単な説明】
【０００８】
【図１】図１は第１の実施形態に係るエレベータシステムの構成例を示す図である。
【図２】図２は同実施形態に係る表示器における現在階、次停止階、及び運転方向の表示の第１の例を示す図である。
【図３】図３は同実施形態に係る表示器における現在階、次停止階、及び運転方向の表示の第２の例を示す図である。
【図４】図４は同実施形態に係るエレベータの運転状態と表示器に対する表示処理との関係を示す状態遷移図である。
【図５】図５は同実施形態に係るエレベータの運転停止中及び運転開始時の表示処理の一例を示すフローチャートである。
【図６】図６は同実施形態に係るエレベータの運転中及び運転停止時の表示処理の一例を示すフローチャートである。
【図７】図７は同実施形態に係る表示器における表示の遷移の第１の例を示す図である。
【図８】図８は同実施形態に係る表示器における表示の遷移の第２の例を示す図である。
【図９】図９は同実施形態に係るエレベータの乗り場の操作盤の一例を示す図である。
【発明を実施するための形態】
【０００９】
以下に説明する本実施形態においては、かご操作盤のインジケータにおいて、現在階、運転方向、及び、次停止階の各表示位置が連携して配置されるエレベータシステムについて説明する。上記各表示が連携されて配置されることにより、利用者が視覚により容易に現在階、運転方向、及び、次停止階を把握することができる。以下、図面を参照して実施形態を説明する。
【００１０】
図１は第１の実施形態に係るエレベータシステムの構成を示す図である。なお、第１の実施形態では、１台の乗りかごを有するシングルカーのエレベータシステムを想定して説明するが、例えば１つの昇降路中に複数台の乗りかごを有するマルチカーのエレベータシステム、又は、複数台の乗りかごを有する群管理システムなどに対しても適用可能である。
【００１１】
本実施形態に係るエレベータシステムにおいては、乗りかご１の乗降口にかごドア２が開閉自在に取り付けられている。かごドア２の横には、操作盤３が設置されている。
【００１２】
操作盤３上には、エレベータ乗客が乗りかご１を制御するための各種ボタンが備えられている。例えば、操作盤３上には、各階の行先階ボタンの他に、戸開ボタン、戸閉ボタン、非常呼びボタンなどが設けられる。戸開ボタンは、かごドア２の戸開を指示するときに用いられる。戸閉ボタンは、かごドア２の戸閉を指示するときに用いられる。非常呼びボタンは、外部（例えば、建物の監視室あるいは遠隔地に存在するエレベータの監視センタなど）と連絡するときに用いられる。
【００１３】
操作盤３は、エレベータ制御装置（ＥＬ制御装置）５に接続されている。乗りかご１内の利用者が操作盤３上の任意のボタンを操作すると、当該ボタンの操作信号がエレベータ制御装置５に送信される。
【００１４】
なお、操作盤３は、タッチパネルにより構成されてもよい。タッチパネルは、オブジェクト（例えば、利用者の指など）が接触した画面上の位置を検出可能なポインティングデバイスである。
【００１５】
表示器４は、乗りかご１内の利用者に対し、エレベータの運行状態などを表示するための表示装置である。表示器４は、少なくとも乗りかご１の現在階、次停止階、運転方向を表示する。以下では、運転方向は、上昇運転の場合の上方向、又は、下降運転の場合の下方向のいずれかであるとして説明する。
【００１６】
表示器４は、ディスプレイを含む。当該ディスプレイ上には、かご内インジケータとして運転方向、現在位置などを含む各種メッセージが表示される。
【００１７】
なお、表示器４は、例えばＬＣＤ（Liquid Crystal Display）、有機ＥＬ（Organic Electro-Luminescense）などにより構成されるが、特にこれらに限定されるものではない。
【００１８】
エレベータ制御装置５は、乗りかご１の運転制御を含むエレベータ全体の制御を行う。エレベータ制御装置５は、ＣＰＵ、ＲＯＭ、ＲＡＭなどを備えたコンピュータからなり、例えばＲＯＭなどに所定のプログラムを格納する。ＣＰＵが当該プログラムを実行することにより、エレベータ制御装置５は、エレベータ全体の制御に必要な機能を実現する。
【００１９】
エレベータ制御装置５は、例えば、運転制御部５１、登録制御部５２などを含む。
【００２０】
運転制御部５１は、後述する行先階管理用のテーブルＴに登録された行先階（かご呼び）の情報に基づいて乗りかご１の運転を制御する。また、運転制御部５１は、操作盤３上の各種ボタンの操作信号に基づいて、かごドアの戸開動作又は戸閉動作、及び、外部との通信などを行う。
【００２１】
登録制御部５２は、行先階管理用のテーブルＴを含む。登録制御部５２は、利用者により操作盤３上の任意の階の行先階ボタンが操作されたときに、行先階ボタンに対応した行先階の情報を行先階管理用のテーブルＴに登録する。また、登録制御部５２は、利用者により登録済の行先階を取り消す操作が行われた場合に、登録済の行先階の情報を取り消す。この取り消し操作が行われた場合、登録制御部５２は、例えば、既に登録済みの行先階の個数と乗りかご１の着床制御のタイミングに基づいて当該行先階の取り消し可否を判断し、取り消しが可能な場合にテーブルＴから当該行先階の登録を取り消す。
【００２２】
表示制御装置６は、エレベータの運行状況に基づいて表示器４の表示制御を行い、表示器４のディスプレイ上に様々な表示を行う。
【００２３】
より具体的には、表示制御装置６は、エレベータ制御装置５のテーブルＴに格納された行先階の情報、及び、運転制御部５１により取得した現在階の情報などを用いて、表示器４に少なくとも乗りかご１の現在階、次停止階、及び、運転方向を表示する。
【００２４】
表示制御装置６は、ＣＰＵ、ＲＯＭ、ＲＡＭなどを備えたコンピュータからなり、例えばＲＯＭなどに所定のプログラムを格納する。ＣＰＵが当該プログラムを実行することにより、上記の表示制御に必要な機能が実現される。なお、表示制御装置６及び表示制御装置６の実現する機能は、エレベータ制御装置５に含まれていてもよい。
【００２５】
図２は、本実施形態に係る表示器４における現在階、次停止階、及び運転方向の表示の第１の例を示す図である。
【００２６】
上述のように、表示制御装置６は、表示器４に少なくとも現在階表示４１、運転方向表示４２、及び、次停止階表示４３の３つの項目を表示する。
【００２７】
現在階表示４１は、現在の乗りかご１の位置に対応する階を表す。より具体的には、現在階表示４１は、記号、数字もしくは文字、又はこれらの組み合わせなどである。
【００２８】
次停止階表示４３は、乗りかご１が次に停止する階を表す。次停止階表示４３は、現在階表示４１と同様に、記号、数字もしくは文字、又はこれらの組み合わせなどである。
【００２９】
表示制御装置６は、現在階表示４１と次停止階表示４３との間に、運転方向表示４２を表示する。各項目の表示順は、乗りかご１の運転方向に合わせた配置であることが好ましい。より具体的には、例えば上り運転の場合、表示器４の下から順に、現在階表示４１、運転方向表示４２（上向きの矢印）、次停止階表示４３が表示される。同様に、下り運転の場合、上から順に、現在階表示４１、運転方向表示４２（下向きの矢印）、次停止階表示４３が表示される。
【００３０】
このように、表示器４において、現在階表示４１から運転方向表示４２である矢印の方向に従い次停止階表示４３が配置される。これにより、利用者は、次停止階に向かってエレベータが動いていることが容易に把握でき、かつ、当該矢印の方向が向かっている先が目的の行先であることを直感的に理解できる。
【００３１】
なお、表示制御装置６は、例えば矢印を乗りかご１の運転方向に合わせてアニメーションを表示させることにより、当該矢印の指す方向を強調してもよい。アニメーションの一例として、当該矢印は、例えば運転方向に合わせてスクロール表示又はワイプ表示されてもよい。また他の一例として、当該矢印は、例えば乗りかご１の運転開始に合わせてフェードインするように表示されてもよく、乗りかご１の停止に合わせてフェードアウトするように表示されてもよい。
【００３２】
また、次停止階表示４３は、現在階表示４１より小さく表示されてもよい。換言すれば、次停止階表示４３のサイズは、現在階表示４１のサイズより小さくてもよい。これにより、利用者はより直感的に次停止階表示４３と現在階表示４１とを区別することができる。
【００３３】
本実施形態において、運転方向表示４２は矢印であるとするが、乗りかご１の利用者が運転方向を識別可能な表示であれば、他の表示で代替されてもよい。
【００３４】
図３は、本実施形態に係る表示器における現在階、次停止階、及び運転方向の表示の第２の例を示す図である。
【００３５】
図３において、表示器４には、現在階表示４１、運転方向表示４２、次停止階表示４３に加え、各種メッセージ又は映像などを表示するためのその他の表示４４が含まれる。図３の例では、例えばその他の表示４４の表示領域以外の横長の領域に現在階表示４１、運転方向表示４２、次停止階表示４３が表示される。
【００３６】
この場合、現在階表示４１の横に運転方向表示４２及び次停止階表示４３が表示される。さらに、上り運転の場合、上向きを示す運転方向表示４２の上（上方）に次停止階表示４３が表示される。同様に、下り運転の場合、下向きを示す運転方向表示４２の下（下方）に次停止階表示４３が表示される。これにより、図２に示した例と同様に、利用者は、次停止階に向かってエレベータが動いていることが容易に把握でき、かつ、当該矢印の方向により示される先が目的の行先であることを直感的に理解できる。
【００３７】
なお、図３の例では、現在階表示４１の左に運転方向表示４２及び次停止階表示４３が表示されているが、現在階表示４１の右に運転方向表示４２及び次停止階表示４３が表示されてもよい。
【００３８】
また、図３の例では、その他の表示４４の表示領域は、表示器４の表示領域の下部に配置されているが、その他の表示４４の表示領域が表示器４の表示領域の上部に配置される場合でも同様である。
【００３９】
図４は、本実施形態に係るエレベータの運転状態と表示器に対する表示処理との関係を示す状態遷移図である。
【００４０】
表示制御装置６は、エレベータの運転状態に応じ、表示器４に対する表示処理を実行する。以下では、エレベータの運転状態に応じ、当該表示処理を４種類に分けて説明する。
【００４１】
エレベータの運転状態は、例えば、エレベータ運転停止中を示す状態ＳＴ１、エレベータ運転中を示す状態ＳＴ２に分けられる。初期状態において、エレベータの運転状態は、状態ＳＴ１であるとする。
【００４２】
状態ＳＴ１において、乗りかご１の次停止階が未決定である間は、運転停止中の表示処理Ｐ１が実行される。
【００４３】
一方、状態ＳＴ１において、乗りかご１の次停止階が決定されると、エレベータの運転状態は状態ＳＴ２に遷移するとともに、運転開始時の表示処理Ｐ２が実行される。
【００４４】
状態ＳＴ２において、乗りかご１が次停止階に到着しない間は、運転中の表示処理Ｐ３が実行される。
【００４５】
一方、状態ＳＴ２において、乗りかご１が次停止階に到着する場合、エレベータの運転状態は状態ＳＴ１に遷移するとともに、運転停止時の表示処理Ｐ４が実行される。
【００４６】
なお、運転停止中の表示処理Ｐ１、運転開始時の表示処理Ｐ２、運転中の表示処理Ｐ３、運転停止時の表示処理Ｐ４の詳細は、図５及び図６を用いて後述する。
【００４７】
図５は、本実施形態に係るエレベータの運転停止中及び運転開始時の表示処理の一例を示すフローチャートである。図５において、エレベータの運転状態は運転停止中（すなわち、状態ＳＴ１である）とする。
【００４８】
ステップＳ１０１において、表示制御装置６は、次停止階が決定したか否かを確認する。より具体的には、表示制御装置６は、テーブルＴを読み出し、次停止階が存在するか否かを確認する。なお、表示制御装置６は、例えばポーリングなどにより定期的にテーブルＴを読み出してもよく、又は、登録制御部５２より次停止階が決定された旨の通知を受信してもよい。
【００４９】
次停止階が決定しない間、ステップＳ１０２において、表示制御装置６は、現在の現在階表示４１を維持する処理を実行する。ステップＳ１０２の処理は、運転停止中の表示処理Ｐ１に相当する。
【００５０】
一方、次停止階が決定したと判断された場合、ステップＳ１０３において、表示制御装置６は、次停止階と現在階を比較する処理を実行する。表示制御装置６は、例えばエレベータ制御装置５の運転制御部５１より現在階を取得可能である。以下のステップＳ１０３〜Ｓ１０７の処理は、運転開始時の表示処理Ｐ２に相当する。
【００５１】
まず、ステップＳ１０３において、次停止階が現在階よりも下階であると判定された場合、処理はステップＳ１０４に進む。
【００５２】
ステップＳ１０４において、表示制御装置６は、現在階表示４１を表示器４のディスプレイ（以下、表示画面とする）の上部に移動させる。なお、図３を用いて上述したように、表示制御装置６は、ディスプレイ又は表示領域の形状などに応じて、現在階表示４１を表示画面の右部（又は左部）に移動させてもよい。
【００５３】
また、この表示の移動は、アニメーションを用いて表現されてもよい。より具体的には、例えば、現在階表示４１は表示画面をスライドするように表示されてもよい。以下、表示を移動させる処理において同様である。これにより、利用者は、より直感的に運転方向を認識することができる。
【００５４】
ステップＳ１０５において、表示制御装置６は、現在階表示４１の下に下方向の矢印（運転方向表示４２）を表示し、矢印の下に次停止階表示４３を表示する。なお、ステップＳ１０４において現在階表示４１を表示画面の右部（又は左部）に表示する場合には、図３を用いて上述したように、運転方向表示４２及び次停止階表示４３は現在階表示４１の左方（又は右方）に表示される。
【００５５】
一方、ステップＳ１０３において、次停止階が現在階よりも上階であると判定された場合、処理はステップＳ１０６に進む。
【００５６】
ステップＳ１０６において、表示制御装置６は、現在階表示４１を表示画面の下部に移動させる。なお、ステップＳ１０４の処理と同様に、表示制御装置６は、ディスプレイ又は表示領域の形状などに応じて、現在階表示４１を表示画面の右部（又は左部）に移動させてもよい。
【００５７】
ステップＳ１０７において、表示制御装置６は、現在階表示４１の上に上方向の矢印（運転方向表示４２）を表示し、矢印の上に次停止階表示４３を表示する。なお、ステップＳ１０５の処理と同様に、ステップＳ１０６において現在階表示４１を表示画面の右部（又は左部）に表示した場合には、運転方向表示４２及び次停止階表示４３は現在階表示４１の左方（又は右方）に表示される。
【００５８】
なお、次停止階表示４３は、テーブルＴの状態に応じて、エレベータの運転中に変更されうる。例えば、エレベータの運転中に、利用者が行先階ボタンを押下した場合、もしくは押下済の行先階ボタンをキャンセルした場合、又は、利用者が乗り場側で乗りかご１を呼び出した場合、テーブルＴは更新される。表示制御装置６は、更新されたテーブルＴを確認し、テーブルＴ内に現在の次停止階よりも近い行先階が存在する場合には、次停止階表示４３を現在の乗りかご１の位置に最も近い行先階に変更する。なお、表示制御装置６は、例えばポーリングなどにより定期的にテーブルＴの変更の有無を確認してもよく、又は、登録制御部５２より次停止階が変更された旨の通知を受信してもよい。
【００５９】
図６は、本実施形態に係るエレベータの運転中及び運転停止時の表示処理の一例を示すフローチャートである。図６において、エレベータの運転状態は運転中である（すなわち、状態ＳＴ２である）とする。
【００６０】
ステップＳ２０１において、表示制御装置６は、現在階と次停止階が一致したか否かを確認する。なお、上述のように、次停止階はエレベータ制御装置５のテーブルＴを読み出すことにより取得可能であり、現在階は運転制御部５１より取得可能である。
【００６１】
ステップＳ２０１において現在階と次停止階が一致した場合、ステップＳ２０２において、表示制御装置６は、乗りかご１の位置の移動に伴い、現在階表示４１を更新する。また、例えば運転方向表示４２がスクロール表示などのアニメーションによる表示である場合、表示制御装置６は、当該アニメーションを更新する。ステップＳ２０２の処理は、運転中の表示処理Ｐ３に相当する。
【００６２】
一方、ステップＳ２０１において現在階と次停止階が一致した場合、処理はステップＳ２０３へ進む。以下のステップＳ２０３，Ｓ２０４の処理は、運転停止時の表示処理Ｐ４に相当する。
【００６３】
ステップＳ２０３において、表示制御装置６は、運転方向表示４２（例えば矢印など）と次停止階表示４３を消去する。
【００６４】
ステップＳ２０４において、表示制御装置６は、現在階表示４１を表示画面の中央部に移動させる。この中央部とは、表示画面の中央付近を指す。
【００６５】
なお、ステップＳ２０４において、さらに次の行先階（次停止階）が存在する場合は、現在階表示４１は表示画面の中央部に移動されずに、運転開始時の表示処理Ｐ２（ステップＳ１０３）が実行されてもよい。すなわち、次停止階に到着した後、次の行先階がなくその階に待機する場合は、運転方向表示４２と次停止階表示４３が消え、現在階表示４１が中央に移動することで、この後にエレベータの運転がないことを明確に表すことができる。
【００６６】
図７は、本実施形態に係る表示器４における表示の遷移の第１の例を示す図である。具体的には、図７は、表示画面に図２の態様で現在階表示４１、運転方向表示４２、次停止階表示４３を行う場合の表示器４の表示の遷移を示す。
【００６７】
まず、エレベータは運転停止中（状態ＳＴ１）であるとする。状態ＳＴ１においては、運転停止中の表示処理Ｐ１が実行され、表示画面の中央部に現在階表示４１が表示される。表示Ａ１は、エレベータが運転停止中の表示画面の例である。乗りかご１が３階に停止中である場合、表示画面の中央部に「３」（現在階表示４１）が表示される。
【００６８】
次に、利用者などにより、操作盤３を介して例えば８階が次停止階として入力されたとする。その後、運転開始時の表示処理Ｐ２が実行され、エレベータの運転状態は状態ＳＴ１から状態ＳＴ２に遷移する。乗りかご１は、上昇運転を開始する。
【００６９】
表示Ａ２は、運転開始時の表示処理Ｐ２が実行された直後の表示画面の例である。次停止階（８階）が現在階（３階）よりも上階であるため、現在階を示す「３」は表示画面の下部に移動し、その上に上方向の矢印（運転方向表示４２）が表示され、さらにその上に「８」（次停止階表示４３）が表示される。
【００７０】
状態ＳＴ２においては、運転中の表示処理Ｐ３が実行され、乗りかご１の位置に応じて、表示画面上の矢印及び現在階表示４１が更新される。表示Ａ３は、現在階が８階である場合に、運転中の表示処理Ｐ３が実行された直後の表示画面の例である。
【００７１】
次停止階（８階）に到着すると、運転停止時の表示処理Ｐ４が実行され、エレベータの運転状態は状態ＳＴ２から状態ＳＴ１に遷移する。より具体的には、上方向の矢印及び次停止階を表す「８」の表示は消去され、現在階を示す「８」が画面中央部に移動する。表示Ａ４は、乗りかご１が次停止階（８階）に到着し、運転停止時の表示処理Ｐ４が実行された直後の表示画面の例である。
【００７２】
さらにその後、操作盤３を介して例えば２階が次停止階として入力されると、運転開始時の表示処理Ｐ２が実行され、エレベータの運転状態は状態ＳＴ１から状態ＳＴ２に遷移する。乗りかご１は、下降運転を開始する。
【００７３】
表示Ａ５は、運転開始時の表示処理Ｐ２が実行された直後の表示画面の例である。次停止階（２階）が現在階（８階）よりも下階であるため、現在階を示す「８」は表示画面の上部に移動し、その下に下方向の矢印（運転方向表示４２）が表示され、さらにその下に「２」（次停止階表示４３）が表示される。
【００７４】
状態ＳＴ２においては、上述のように運転中の表示処理Ｐ３が実行される。表示Ａ６は、現在階が２階である場合に、運転中の表示処理Ｐ３が実行された直後の表示画面の例である。
【００７５】
次停止階（２階）に到着すると、運転停止時の表示処理Ｐ４が実行され、エレベータの運転状態は状態ＳＴ２から状態ＳＴ１に遷移する。より具体的には、上方向の矢印及び次停止階を表す「２」の表示は消去され、現在階を示す「２」が画面中央部に移動する。表示Ａ７は、乗りかご１が次停止階（２階）に到着し、運転停止時の表示処理Ｐ４が実行された直後の表示画面の例である。
【００７６】
なお、例えば表示Ａ２の直後に、利用者により６階の乗り場のから乗りかご１が呼び出された場合、現在階（３階）に最も近い行先階は６階となり、すなわち次停止階は６階となるため、次停止階表示４１は「８」から「６」に変更される。
【００７７】
さらに、次停止階表示４１の変更は、アニメーションにより表現されてもよい。これにより、利用者が次停止階の変更を把握しやすくなる。アニメーションの一例として、現在の次停止階表示４１がフェードアウトし、変更後の次停止階表示４１がフェードインするように表示されてもよい。また、他の一例として、現在の次停止階表示４１が表示画面外へスライドするとともに、変更後の次停止階表示４１が表示画面外からスライドするように表示されてもよい。
【００７８】
図８は、本実施形態に係る表示器における表示の遷移の第２の例を示す図である。具体的には、図８は、表示画面に図３の態様で現在階表示４１、運転方向表示４２、次停止階表示４３を行う場合の表示器４の表示の遷移を示す。
【００７９】
図８の表示Ｂ１〜Ｂ７は、それぞれ図７の表示Ａ１〜Ａ７に対応する。表示Ｂ１〜Ｂ７における現在階表示４１、運転方向表示４２、及び、次停止階表示４３の各項目の表示内容は表示Ａ１〜Ａ７と同様であり、各項目の表示レイアウトのみが異なる。
【００８０】
図８の例においては、表示Ｂ２における現在階表示４１である「３」は、表示Ｂ１における現在階表示４１の表示位置から右方に移動された位置に表示される。また同様に、表示Ｂ４における現在階表示４１である「８」は、表示Ｂ１における現在階表示４１の表示位置から右方に移動された位置に表示される。
【００８１】
その他、表示Ｂ１〜Ｂ７を表示画面に表示するための処理は、上述の表示Ａ１〜Ａ７のものと同様であるため、説明を省略する。
【００８２】
図９は本実施形態に係るエレベータの乗り場９の操作盤１０の一例を示す図である。
【００８３】
乗り場においては、通常乗りかご１を呼び出すための操作盤が設置される。また、例えば乗車前にあらかじめ行先階を登録する方式のエレベータでは、操作盤は乗り場に設置されることがある。
【００８４】
操作盤１０は、表示器１１を含む。なお、表示器１１は、操作盤１０には含まれずに、操作盤１０とは物理的に分離して設置されていてもよい。
【００８５】
操作盤１０においても上述の操作盤３と同様に、現在階表示４１、運転方向表示４２、次停止階表示４３が表示される。これにより、利用者は乗り場９においても現在の乗りかご１の位置を容易に把握することができるため、利用者の利便性を向上させることができる。
【００８６】
また、乗り場９の表示器１１は、乗りかご１内の表示器４に比べて縦長である場合が多いため、表示器１１に図２の態様で現在階表示４１、運転方向表示４２、次停止階表示４３を表示することにより、利用者はより直感的にエレベータの運転状態を把握することが可能となる。
【００８７】
以上述べた本実施形態によれば、表示制御装置６は、エレベータの運転状態に基づいて、表示器４に現在階表示４１、運転方向表示４２、次停止階表示４３を連携して表示させる。乗りかご１が上昇運転を行う場合は、現在階表示４１の上に上方向を示す運転方向表示４２を表示し、さらにその上に次停止階表示４３を表示する。また、乗りかご１が下降運転を行う場合は、現在階表示４１の下に下方向を示す運転方向表示４２を表示し、さらにその下に次停止階表示４３を表示する。これにより、利用者に対し、かごの運転方向に対する感覚に違和感を持たせることなく、直感的に乗りかご１の現在階、次停止階を認知させることができる。
【００８８】
また、利用者は、運転方向表示４２の先にある階の名称表示が次停止階であると理解できるため、次停止階を表示する際に例えば「次は○階に止まります」などの文章による表示が不要となる。これにより、例えば翻訳などの多言語化の対応を行うことなく次停止階の表示が可能となる。
【００８９】
なお、運転方向表示４２は、上述以外にも様々な表示態様が考えられる。例えば、運転方向表示４２は、例えば次停止階に到着時に色が変化するよう表示されてもよい。また、例えば、運転方向表示４２は、次停止階と現在階との距離に応じて長さが変化するよう表示されてもよい。また、例えば、運転方向表示４２は、次停止階と現在階との距離に応じて点滅表示されてもよい。このような運転方向表示４２の表示により、利用者はさらにエレベータの運転状態を把握しやすくなる。
【００９０】
また、例えば、運転方向表示４２がスクロール表示される場合において、乗りかご１の上昇又は下降速度に応じてスクロールの速度が変化してもよい。これにより、利用者は、例えば乗りかご１の速度が減少し次停止階に近づいたことを、運転方向表示４２により視認できるため、利用者はさらにエレベータの運転状態を把握しやすくなる。
【００９１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９２】
１…乗りかご、２…かごドア、３，１０…操作盤、４，１１…表示器、５…エレベータ制御装置、９…乗り場、５１…運転制御部、５２…登録制御部、５３…表示制御部、Ｔ…行先階管理用のテーブル。
【図１】
2020007064.tif 000003
【図２】
2020007064.tif 000004
【図３】
2020007064.tif 000005
【図４】
2020007064.tif 000006
【図５】
2020007064.tif 000007
【図６】
2020007064.tif 000008
【図７】
2020007064.tif 000009
【図８】
2020007064.tif 000010
【図９】
2020007064.tif 000011
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
乗りかごの現在階、次停止階、及び、運転方向を表示する表示器と、
前記表示器における表示を制御する制御手段と、を具備し、
前記制御手段は、
前記乗りかごの運転方向に応じて、上方向を示す第１の運転方向表示または下方向を示す第２の運転方向表示を表示し、
前記乗りかごが上昇運転を行う場合には、前記第１の運転方向表示を表示し、さらに前記第１の運転方向表示の上方に次停止階を表示し、
前記乗りかごが下降運転を行う場合には、前記第２の運転方向表示を表示し、さらに前記第２の運転方向表示の下方に次停止階を表示し、
前記第１または第２の運転方向表示が示す方向の先に前記次停止階が表示されることを特徴とするエレベータシステム。
【請求項２】
前記制御手段は、前記次停止階の表示を前記現在階の表示よりも小さく表示することを特徴とする請求項１に記載のエレベータシステム。
【請求項３】
前記制御手段は、
前記乗りかごが停止中に、前記現在階を前記表示器の中央付近に表示し、
前記乗りかごが上昇運転を開始する場合に、前記現在階の表示を前記表示器の下部に移動させ、前記第１の運転方向表示の表示位置を前記現在階の表示の上方とし、
前記乗りかごが下降運転を開始する場合に、前記現在階の表示を前記表示器の上部に移動させ、前記第２の運転方向表示の表示位置を前記現在階の表示の下方とすることを特徴とする請求項１又は請求項２に記載のエレベータシステム。
【請求項４】
前記制御手段は、
前記乗りかごが停止中に、前記現在階を前記表示器の中央付近に表示し、
前記乗りかごが上昇運転もしくは下降運転を開始する場合に、前記現在階の表示を前記表示器の左部に移動させ、前記現在階の表示の右方に前記第１の運転方向表示もしくは前記第２の運転方向表示及び前記次停止階を表示し、又は、
前記乗りかごが上昇運転もしくは下降運転を開始する場合に、前記現在階の表示を前記表示器の右部に移動させ、前記現在階の表示の左方に前記第１の運転方向表示もしくは前記第２の運転方向表示及び前記次停止階を表示することを特徴とする請求項１又は請求項２に記載のエレベータシステム。
【請求項５】
前記制御手段は、前記乗りかごが前記次停止階に到着した場合に、前記第１の運転方向表示もしくは前記第２の運転方向表示及び前記次停止階の表示を消去し、前記現在階の表示を前記表示器の中央付近へ移動させることを特徴とする請求項３又は請求項４に記載のエレベータシステム。
【請求項６】
前記制御手段は、アニメーションを用いて、前記現在階の表示を移動させる表示を行うことを特徴とする請求項５に記載のエレベータシステム。
【手続補正２】
【補正対象書類名】明細書
【補正対象項目名】０００７
【補正方法】変更
【補正の内容】
【０００７】
一実施形態に係るエレベータシステムは、乗りかごの現在階、次停止階、及び、運転方向を表示する表示器と、前記表示器における表示を制御する制御手段とを備える。前記制御手段は、前記乗りかごの運転方向に応じて、上方向を示す第１の運転方向表示または下方向を示す第２の運転方向表示を表示し、前記乗りかごが上昇運転を行う場合には、前記第１の運転方向表示を表示し、さらに前記第１の運転方向表示の上方に次停止階を表示し、前記乗りかごが下降運転を行う場合には、前記第２の運転方向表示を表示し、さらに前記第２の運転方向表示の下方に次停止階を表示し、前記第１または第２の運転方向表示が示す方向の先に次停止階が表示される。
【手続補正３】
【補正対象書類名】明細書
【補正対象項目名】００７６
【補正方法】変更
【補正の内容】
【００７６】
なお、例えば表示Ａ２の直後に、利用者により６階の乗り場のから乗りかご１が呼び出された場合、現在階（３階）に最も近い行先階は６階となり、すなわち次停止階は６階となるため、次停止階表示４３は「８」から「６」に変更される。
【手続補正４】
【補正対象書類名】明細書
【補正対象項目名】００７７
【補正方法】変更
【補正の内容】
【００７７】
さらに、次停止階表示４３の変更は、アニメーションにより表現されてもよい。これにより、利用者が次停止階の変更を把握しやすくなる。アニメーションの一例として、現在の次停止階表示４３がフェードアウトし、変更後の次停止階表示４３がフェードインするように表示されてもよい。また、他の一例として、現在の次停止階表示４３が表示画面外へスライドするとともに、変更後の次停止階表示４３が表示画面外からスライドするように表示されてもよい。
【手続補正５】
【補正対象書類名】図面
【補正対象項目名】図７
【補正方法】変更
【補正の内容】
【図７】
2020007064.tif 000012